(57)【要約】【課題】近年の複写、複製技術の高度化にともなう偽造印刷物の市場への出回りを防止し、デジタル技術の高度化等に対して偽造防止上効果のある蛍光発光インキの市販化及び蛍光発光インキを使用した偽造印刷物に対し、さらなる偽造防止技術の高度化を図り、偽造防止効果の強化を行う。【解決手段】自然光下では無色又は互いに同色であり、紫外線下では互いに同色に発光する蛍光発光インキで第１印刷領域及び第２印刷領域をそれぞれ印刷し、フィルタ９を介して発光色を観察することで、通常では1色にしか見えない２種の蛍光発光インキが互いに異なる発光を示して第１印刷領域１ａ及び第２印刷領域２ａが互いに区別でき、隠された情報等を読取り、真偽判別を行うことができる。【選択図】図４
2005262681.tif 000002
【特許請求の範囲】
【請求項１】
２以上の印刷領域を有し、前記２以上の印刷領域の少なくとも２つの印刷領域は、それぞれ異なる蛍光発光インキによって印刷された印刷物であって、
前記蛍光発光インキのうちの少なくとも２種は、自然光下では目視で無色又は互いに同色を呈し、励起発光させるエネルギーの照射下における蛍光発光スペクトルが異なるが目視で互いに同色を呈するインキであることを特徴とする印刷物。
【請求項２】
前記蛍光発光インキの少なくとも１種は、少なくとも２以上のピークを示す蛍光発光スペクトルを有するインキであることを特徴とする請求項１に記載の印刷物。
【請求項３】
前記蛍光発光インキの少なくとも１種は、可視波長域において少なくとも２以上のピークを示す蛍光発光スペクトルを有するインキであることを特徴とする請求項２に記載の印刷物。
【請求項４】
前記蛍光発光インキの少なくとも１種は、２種以上の蛍光顔料を含有するインキであることを特徴とする請求項１乃至３に記載の印刷物。
【請求項５】
前記２種以上の蛍光顔料は、それぞれ異なる波長域にピークを示す蛍光発光スペクトルを有する顔料であることを特徴とする請求項４に記載の印刷物。
【請求項６】
前記２種以上の蛍光顔料は、それぞれ可視波長域において異なる波長域にピークを示す蛍光発光スペクトルを有する顔料であることを特徴とする請求項５に記載の印刷物。
【発明の詳細な説明】
【技術分野】
【０００１】
本発明は、有価証券、証明書、入場券または各種チケット等の印刷物において、カラー複写機またはパーソナルコンピュータとカラープリンタ等による偽造を困難にし、特定の条件下のみ識別可能であって、自然状態では識別不可能なインキで印刷されている印刷物に関する。
【背景技術】
【０００２】
偽造防止用印刷物として分光反射率の異なった色でも照明条件によっては同色になるが、ある照明光源下では同色である色同士でも分光エネルギー分布の異なった他の光源下では全く異なった色に見える現象をメタメリズムと言う。
【０００３】
このようなメタメリズムの原理を応用し、分光反射率の波長ピークが異なる２種類以上のインキを使い自然光下では各インキ発色がほぼ同一である印刷物であり、複写機等の機械読取を行うと各インキが異なる色に再現される偽造防止印刷物は周知である。しかし、デジタル技術の高度化により、印刷物が容易に複製できるようになってきている。
【０００４】
一方、蛍光発光インキは紫外線によって発光することから、蛍光発光インキを使用した印刷物はカラー複写機等に対する偽造防止効果が高く、多くの有価証券等に使用されている。しかし、近年では蛍光発光インキさえも使用した偽造印刷物が出回りはじめ、単に紫外線により蛍光発光するという機能だけでは大きな偽造防止効果は望めなくなってきている。
【０００５】
ところで、従来、偽造防止のための印刷法として、次のような内容の二重機密印刷法に係る発明がすでに提案されている（特許文献１参照）。この二重機密印刷法は、青色系発光物質を以て第１種印刷面を構成すると共に、 赤色系発光物質を以て第２種印刷面を構成するものである。これら第１種印刷面と第２種印刷面は、それぞれ別個のスペースを占める必要はなく、重ね刷りでも差し支えないとしている。
【０００６】
ここで、青色系発光物質は、昼光下で不可視で、２００〜４００ｎｍの範囲内に励起波長スペクトルの主ピークを有し、４００〜４５０ｎｍの範囲内に発光波長スペクトルの主ピークを有する発光物質又はこれを有する物質である。
【０００７】
そして、赤色系発光物質は、昼光下で不可視で、２００〜４００ｎｍの範囲内に励起波長スペクトルの主ピークを有し、５００〜６５０ｎｍの範囲内に発光波長スペクトルの主ピークを有する発光物質又はこれを有する物質である。
【０００８】
このような二重機密印刷法によると、昼光下では不可視であり、紫外線照射下では、青の輝度が赤の輝度を覆い、一見青しか見えないようにすることで、同じように発光し、識別は不可能であるが、５００ｎｍ以下の波長を遮蔽するフィルタを以てはじめて第２種印刷面の表示を識別できる。
【０００９】
【特許文献１】特開昭５０−６４１０号公報
【発明の開示】
【発明が解決しようとする課題】
【００１０】
ところで、特許文献１記載のものは、紫外線照射下では、青の輝度が赤の輝度を覆い一見青しか見えないようにすることで、第１種印刷面及び第２種印刷面の識別を不可能とするものである。従って、第１種印刷面と第２種印刷面とを重ね刷りする場合は、印刷領域が重なるので青の輝度が赤の輝度を覆い、一見青しか見えないという現象は生じ易い。
しかしながら、第１種印刷面と第２種印刷面がそれぞれ別個のスペースを占める、要するに同一平面においてずらして印刷される面である場合は、第１種印刷面と第２種印刷面のスペースの大きさやずらしかたにもよるが、青の輝度が平面的に隣接する赤の輝度まで完全に覆うという現象は必ずしも生じにくいので、「紫外線照射下でも第１種印刷面と第２種印刷面の識別を不可能とする」という効果が十分には奏し得ないという問題があった。
【００１１】
本発明は、前記のような問題点を解決するためになされたもので、本発明の目的は、近年の複写、複製技術の高度化にともなう偽造印刷物の市場への出回りを防止するため、及びデジタル技術の高度化等に対する偽造防止効果的である蛍光発光インキの市販化及び蛍光発光インキを使用した偽造印刷物に対し、さらなる偽造防止技術の高度化を図り、偽造防止効果の強化を行うものである。
【００１２】
特に、特許文献１の技術では問題が残る第１種印刷面と第２種印刷面が同一平面においてずらして印刷される面であっても、紫外線照射下では両者の区別がつかないようにする構成を実現できるものである。
【課題を解決するための手段】
【００１３】
本発明は、２以上の印刷領域を有し、前記２以上の印刷領域の少なくとも２つの印刷領域は、それぞれ異なる蛍光発光インキによって印刷された印刷物であって、前記蛍光発光インキのうちの少なくとも２種は、自然光下では目視で無色又は互いに同色を呈し、励起発光させるエネルギーの照射下における蛍光発光スペクトルが異なるが目視で互いに同色を呈するインキである印刷物を提供する。
【００１４】
本発明は、蛍光発光インキの少なくとも１種は、少なくとも２以上のピークを示す蛍光発光スペクトルを有するインキである印刷物を提供する。
【００１５】
本発明は、蛍光発光インキの少なくとも１種は、可視波長域において少なくとも２以上のピークを示す蛍光発光スペクトルを有するインキであることを特徴とする印刷物を提供する。
【００１６】
本発明は、蛍光発光インキの少なくとも１種は、２種以上の蛍光顔料を含有するインキである印刷物を提供する。
【００１７】
本発明は、２種以上の蛍光顔料は、それぞれ異なる波長域にピークを示す蛍光発光スペクトルを有する顔料である印刷物を提供する。
【００１８】
本発明は、２種以上の蛍光顔料は、それぞれ可視波長域において異なる波長域にピークを示す蛍光発光スペクトルを有する顔料である印刷物を提供する。
【発明の効果】
【００１９】
本発明の印刷物は、蛍光発光インキを使用すること自体が１つの偽造防止であるのに加え、２種類以上の蛍光発光インキの印刷領域を有していても、蛍光発光色が紫外線照射下では同色に確認でき、さらにフィルタ等を介することで各インキを識別することができる二重の偽造防止策を施してあるため、さらなる偽造防止の強化になる。
【００２０】
本発明の印刷物に付与されている文字、記号、バーコード等の情報は、自然光下および紫外線照射時において、使用する２種類以上の蛍光発光インキが無色または同色であるため、目視では判別できないが、色フィルタ、例えば、緑フィルタを用いることで瞬時に、且つ容易に情報を識別することができ、偽造防止印刷物として実用性が高い。
【００２１】
本発明の印刷物では、第１印刷領域の輝度が第２印刷領域の輝度を覆い一見同色に見せているのではなく、第１印刷領域および第２印刷領域が同色に蛍光発光するため、紫外線照射時の情報の識別は困難であり、また比較的自由な情報の付与が可能である。
【００２２】
本発明で使用しているインキは、以下に具体的に説明する特殊な偽造防止機能を発揮させるものであり、当然、複写機またはパーソナルコンピュータ等で利用する通常販売されているインキまたはトナーとは異なるものを使用することとなるから、容易に模倣することはできない。
【発明を実施するための最良の形態】
【００２３】
本発明を実施するための最良の形態を実施例に基づいて図面を参照して以下に説明する。
【実施例】
【００２４】
基材上に第１インキを用いて第１印刷領域１を印刷し、同一基材上に第２インキを用いて第２印刷領域２を印刷して、印刷物を得る。例えば、図１の（ａ）及び（ｂ）のような第１印刷領域１及び第２印刷領域２を、図２に示すように基材５の上に、第１インキを用いて第１印刷領域１’を、第２インキを用いて第２印刷領域２’をそれぞれ印刷して、印刷物Ａを得る。
【００２５】
第１インキは、主に波長２００ｎｍ〜３２０ｎｍの波長領域の光を照射すると励起発光し、ＣａＳｉＯ３：Ｍｎ，Ｐｂを構造とした紫外励起可視発光顔料（紫外線で励起されると可視状態に発光する蛍光顔料）である「第１の顔料」を使用して作製する。
【００２６】
この第１の顔料は、上記波長領域の紫外線を照射することにより、図５に示すような、可視領域で橙色に発光する蛍光発光スペクトルを示す。このような第１の顔料を含む第１インキは、可視領域である自然光の下では無色であるが、紫外線を照射することにより図８中の蛍光発光スペクトル１３を示し、橙色に発光する。
【００２７】
第２インキは、主に励起波長２００ｎｍ〜３２０ｎｍの波長域の光を照射するとそれぞれ励起発光し、Ｚｎ２ＳｉＯ４：ＭｎとＹ２Ｏ３：Ｅｕを構造とした２種類の紫外励起可視発光顔料（紫外線で励起されると可視状態に発光する蛍光顔料）である「第２の顔料」及び「第３の顔料」を用いて作製する。
【００２８】
第２の顔料及び第３の顔料は、それぞれ上記波長領域の紫外線を照射することにより図６及び図７に示すような、可視領域では黄緑色及び赤色に発光する蛍光発光スペクトル１１、１２を示す。このような第２の顔料及び第３の顔料を含む第２インキは、第１インキと同様に、可視領域である自然光の下では無色であるが、紫外線を照射することにより図８中の蛍光発光スペクトル１４を示す。
【００２９】
第２インキは、第２の顔料と第３の顔料が含まれているから、その蛍光発光スペクトル１４は、黄緑色及び赤色のそれぞれの色の発光強度にピークを有する。そして、これらの発光色が加法混色することで、第１インキの発光色である橙色と同等の色みを呈して見えるように、第２インキは、第２の顔料と第３の顔料を適量配合して作製される。
【００３０】
第１インキの配合例を表１に示し、第２インキの配合例を表２に示す。
【００３１】
【表１】
2005262681.tif 000003
【００３２】
【表２】
2005262681.tif 000004
【００３３】
（作用）
図２に示す印刷物Ａの第１印刷領域１’及び第２印刷領域２’の印刷に使用された第１インキ及び第２インキは、可視領域である自然光の下ではともに無色であるため、第１印刷領域１’及び第２印刷領域２’は自然光下においては、不可視であり、第１印刷領域１’及び第２印刷領域２’は互いに識別できない。
【００３４】
この印刷物Ａに対して紫外線、具体的には、本実施例で使用している蛍光顔料の励起波長が２００ｎｍ〜３２０ｎｍであるから、通常、短波紫外線といわれている２５４ｎｍの紫外線を照射する。すると、第１インキ及び第２インキは、前述のとおり橙色で同色を呈して発光するようにそれぞれ顔料が配合されているから、第１印刷領域及び第２印刷領域は互いに同色に見え、図３に示すような１つの印刷領域７としてのみ確認ができる。
【００３５】
このような紫外線照射下で、図９に示すような分光スペクトル１５または分光スペクトル１６を有する一般的な緑フィルタまたは青フィルタを介して印刷物Ａを確認すると、図４に示すように、各印刷領域は、互いに異なる色みを呈した第１印刷領域１ａ及び第２印刷領域２ａとして、確認ができる。
【００３６】
例えば、緑フィルタを用いて、印刷物Ａを観察する場合についてさらに詳細に説明する。緑フィルタは図９において分光スペクトル１５で示され、４７０〜６００ｎｍの波長域の光に対しては比較的高い透過特性を示すが、その他の波長領域（７００ｎｍを超える波長領域を除く。）の光に対しては低い透過特性を示し（但し、透過率は０％ではない。）、その透過が比較的抑制される。
【００３７】
従って、緑フィルタを通して印刷物Ａを観察すると、図８において蛍光発光スペクトル１３を示す第１インキ及び蛍光発光スペクトル１４を示す第２インキは、図１０（図８に対して図１０の発光強度のスケールは異なる。）において蛍光発光スペクトル１７及び蛍光発光スペクトル１８を示す。
【００３８】
第２インキについて、フィルタを通す前の蛍光発光スペクトル１４（図８参照）とフィルタを通した蛍光発光スペクトル１８（図１０参照）を較べると、それぞれ左右にピークＰ１、Ｐ２（図８参照）とＰ１’、Ｐ２’（図１０参照）が示されているが、左右のピークのバランスが変化し、蛍光発光スペクトル１４に対して蛍光発光スペクトル１８では右ピークＰ２’に対して左ピークＰ１’が相対的に上がったようになるため、第２印刷領域２ａは緑味が増して、黄緑色に見るとこととなる。なお、第１インキについては、蛍光発光スペクトル１７では橙に緑味が加わる。このようにして、第１印刷領域１ａと第２印刷領域２ａは、互いに異なる色を呈して見えるから、領域を区別して確認できるようになる。
【００３９】
以上の実施例で具体的に把握されるように、本発明の本質は、２種類以上のインキについて、蛍光発光スペクトルが異なっていても（図８のスペクトル１３、１４を参照）目は同じ刺激を受ける（同色に見える）ように、少なくとも１種類のインキ（実施例では第２インキ）が２種以上の蛍光顔料の加法混色を用いて調整されており、フィルタを通して見ることで、前記蛍光発光スペクトルは異なる蛍光発光スペクトルの光として観察され（図１０のスペクトル１７、１８を参照）、目で同じ刺激が受けられなくなり、上記２種類以上のインキが互いに違った色として認識されるという原理を利用した構成にある。
【００４０】
このように、本発明の特徴は、異なる複数の領域のうちの少なくとも１つの領域を蛍光顔料を２種以上有するインキで印刷し、この領域のインキが、他の領域を印刷したインキに対して、自然光下では無色又は同色を呈し、紫外線照射下では同色を呈して見え、紫外線照射下でかつ特定波長を遮蔽するフィルタを通すと異色として観察できるものである。従って、このように観察できるものであれば、上記１つの領域に係るインキと他の領域のインキの組合せは何でもよく、本実施例における上記の発光色を有するインキに限定されるものではない。
【００４１】
ところで、本実施例では、２つの領域のうち、１つの領域を蛍光顔料を１種有するインキで印刷し、他の領域を蛍光顔料を２種以上有するインキで印刷した印刷物を例示したが、このような構成でなくても、異なる複数の領域のうちの少なくとも１つの領域を蛍光顔料を２種以上有するインキで印刷したものであれば、異なる複数の領域のうち２以上の領域においてそれぞれ蛍光顔料を２種以上有するインキで印刷した印刷物でもよい。
【００４２】
本発明は、それぞれ特徴的なピークを示す蛍光発光スペクトルを有する２種のインキを用いて、偽造の極めて困難なバーコード印刷物を得ることができる。即ち、それぞれが特徴的なピークを示す蛍光発光スペクトルを有する第１インキと第２インキで印刷した画線を混在させてバーコードを作製する。
【００４３】
このバーコードは、自然光下及び単に蛍光発光させた状態では単種のバーコードパターンであるが、複数のバンドパスフィルタなどを使用し検知を行うことで、フィルタごとに検出されるバーコードパターンが異なり、複雑な機械読取が可能な印刷物になる。
【００４４】
以上、本発明に係る印刷物の実施形態を実施例に基づいて説明したが、本発明は、特にこのような実施例に限定されることない。それぞれの印刷領域は、隣接していても、離れていても、一部重なりあっていてもよいし、また、励起発光エネルギーは、紫外線に限定されることなく、赤外線、電子線を用い、それらのエネルギーによって発光する材料を用いたインキを使用してもよく、特許請求の範囲記載の技術的事項の範囲内でいろいろな実施例があることはいうまでもない。
【産業上の利用可能性】
【００４５】
本発明は以上の構成であるから、紙幣、証書、身分証明書、パスポート、カード、バーコード、その他の秘匿情報の付与された印刷物に適用できる。
【図面の簡単な説明】
【００４６】
【図１】本発明の印刷物の印刷領域を示した図である。
【図２】本発明の印刷物を自然光下で観察した状態の図である。
【図３】本発明の印刷物に紫外線を照射し観察した状態の図である。
【図４】本発明の印刷物に紫外線を照射し、さらにフィルタを介して観察した状態の図である。
【図５】蛍光顔料１の蛍光発光スペクトルを示した図である。
【図６】蛍光顔料２の蛍光発光スペクトルを示した図である。
【図７】蛍光顔料３の蛍光発光スペクトルを示した図である。
【図８】第１インキ及び第２インキの蛍光発光スペクトルを示した図である。
【図９】緑フィルタ及び青フィルタの分光スペクトルを示した図である。
【図１０】蛍光発光している第１インキ及び第２インキをフィルタを介して観察した時の蛍光発光スペクトルを示した図である。
【符号の説明】
【００４７】
１  第１印刷領域                                     
１’  自然光下の第１印刷領域                         
１ａ  紫外線照射時の第１印刷領域                     
２  第２印刷領域                                     
２’   自然光下の第２印刷領域                        
２ａ  紫外線照射時の第２印刷領域                     
３  自然光光源                                       
４  視点（目）                                       
５  基材                                             
６  紫外線光源                                       
７  紫外線照射時に発光する領域                       
９  フィルタ                                         
１０  蛍光顔料１の蛍光発光スペクトル                 
１１  蛍光顔料２の蛍光発光スペクトル                 
１２  蛍光顔料３の蛍光発光スペクトル                 
１３  第１インキの蛍光発光スペクトル                 
１４  第２インキの蛍光発光スペクトル                 
１５  緑フィルタの分光スペクトル                     
１６  青フィルタの分光スペクトル                     
１７  緑フィルタを介した第１インキの蛍光発光スペクトル
１８  緑フィルタを介した第２インキの蛍光発光スペクトル
Ａ  実施例の印刷物                         
【図１】
2005262681.tif 000005
【図２】
2005262681.tif 000006
【図３】
2005262681.tif 000007
【図４】
2005262681.tif 000008
【図５】
2005262681.tif 000009
【図６】
2005262681.tif 000010
【図７】
2005262681.tif 000011
【図８】
2005262681.tif 000012
【図９】
2005262681.tif 000013
【図１０】
2005262681.tif 000014